(57)【要約】      （修正有）【課題】洋菓子等を載せて展示、販売する際に用いられる紙皿を、所定形状に打ち抜き、プレス成形して折り曲げる工程のみで、底部の周囲を囲繞する起立片を、コーナー部に皺を発生させることなく形成することができ、糊代を必要とせず、製作簡易で、コスト的に極めて有利である紙皿を提供する。【解決手段】隅部のコーナー部４…を弧状に形成した多角形の紙製の基片の外郭線の内側に、多角形の相似形の折り線を設け、折り線から谷折りして折り線の外側に、外方且つ上方に傾斜して一体に連続する起立片３を設け、起立片３は、隅部のコーナー部４が、コーナー部を結ぶ中間部（周片部）５の外郭線よりも外方に突出している紙皿。【選択図】図１
0003124305.tif 000002
【実用新案登録請求の範囲】
【請求項１】
隅部のコーナー部を弧状に形成した多角形の紙製の基片の外郭線の内側に、該多角形の相似形の折り線を設け、該折り線から谷折りして該折り線の外側に、外方且つ上方に傾斜して一体に連続する起立片を設け、
前記起立片は、隅部のコーナー部が、該コーナー部を結ぶ中間部の外郭線よりも外方に突出している、
ことを特徴とする紙皿。
【請求項２】
四隅のコーナー部を弧状に形成した四角形の紙製の基片の外郭線の内側に、該四角形の相似形の折り線を設け、該折り線から四隅のコーナー部を含んで浅い角度で谷折りし、コーナー部及びコーナー部間を繋ぐ四辺を浅い角度で上方且つ外方に斜めに傾斜し、四周を連続して囲むように起こした浅い角度で起立する起立片を備え、
前記紙皿の起立片の縁辺の長さは、折り線と平行する中間部では基片の外郭線の中間部の長さと等しく設定し、
前記起立片の縁辺の長さは、中間部とコーナー部とを繋ぐ部分の間では基片の外郭線の長さに対して長く設定し、
前記起立片の弧状のコーナー部の縁辺の長さは、基片の外郭線の長さよりも短く設定し、
四隅のコーナー部が、該コーナー部を結ぶ縁辺の外郭線よりも外方に突出している、
ことを特徴とする紙皿。
【請求項３】
請求項１又は請求項２に記載の紙皿において、前記基片の折り線で囲まれる底部に、上面が平坦な凸部を上方に突出するように設けたことを特徴とする紙皿。
【請求項４】
前記凸部は平面視四角形をなし、四隅のコーナー部が紙皿の中間部に向くように菱形に配設されていることを特徴とする請求項３に記載の紙皿。
【請求項５】
前記凸部は、独立した複数個の凸部からなることを特徴とする請求項３に記載の紙皿。
【考案の詳細な説明】
【技術分野】
【０００１】
本考案は、１個の洋菓子等のような物品を載せて展示、販売等するに好ましい紙皿に関するものである。
【背景技術】
【０００２】
洋菓子等の１個の食品を載せて展示、販売する皿部材は、環境上、リサイクル上の要請から近時紙皿が用いられている。
紙皿は、周囲を囲むように起立片を折曲して設けられている。起立片は、基片の内側に折り線を設け、折り線部分から折曲し、折り線の外側の部分を起立させているが、起立片の起立の際、基片の外郭線の周長に対し、できあがった紙皿の起立片の周長が短くなり、この結果起立片のコーナー部で周長が短くなった分吸収せざるを得なくなり、コーナー部に皺が発生し、外観性が極めて悪くなる。
そこで従来では、紙皿周囲を囲む起立片を作る際、起立片を構成する基片の余片のコーナー部を、折り線コーナー部から切り離しておき、起立片を起立させた後、コーナー部に設けた糊代片を糊付けし、コーナー部に皺が発生しないようにした紙皿が知られている（例えば、特許文献１参照。）。
【特許文献１】実開平０５−０７７０１８号公報
【０００３】
特許文献１の紙皿は、平面視が三角形をなし、一人前に切り取ったピザ等を載せて収容するもので、基片の底部を囲む組立後に起立片を構成する余片のコーナー部を切り離し、切り離し部に糊代を設け、起立片を折り線から折曲して起立させ、糊代を糊付けする構造である。
【０００４】
以上の特許文献１の紙皿は、紙製素材の所定形状への切断による基片（ブランク材）の形成、基片を折り線から折曲する折り曲げる工程、起立させた周囲の起立片のコーナー部に設けた糊代を、折曲後に糊付けする工程を必要とし、紙皿の製作に際し工数が多くなり、製作も複雑、面倒であり、必然的にコストが高くなる。
本考案は、以上の従来の紙皿における問題点を解決すべくなされたものである。
【考案の開示】
【考案が解決しようとする課題】
【０００５】
本考案は、洋菓子等を載せて展示、販売する際に用いられる紙皿を、所定形状に打ち抜いた紙製ブランク材を、プレス成形して折り曲げる工程のみで、底部の周囲を囲繞する起立片を、コーナー部に皺を発生させることなく形成することができ、糊代を必要とせず、製作簡易で、コスト的に極めて有利である紙皿を提供する。
【課題を解決するための手段】
【０００６】
請求項１に係る考案は、紙皿であって、隅部のコーナー部を弧状に形成した多角形の紙製の基片の外郭線の内側に、該多角形の相似形の折り線を設け、該折り線から谷折りして該折り線の外側に、外方且つ上方に傾斜して一体に連続する起立片を設け、起立片は、隅部のコーナー部が、該コーナー部を結ぶ中間部の外郭線よりも外方に突出していることを特徴とする。
【０００７】
請求項２に係る考案は、紙皿であって、四隅のコーナー部を弧状に形成した四角形の紙製の基片の外郭線の内側に、該四角形の相似形の折り線を設け、該折り線から四隅のコーナー部を含んで浅い角度で谷折りし、コーナー部及びコーナー部間を繋ぐ四辺を浅い角度で上方且つ外方に斜めに傾斜し、四周を連続して囲むように起こした浅い角度で起立する起立片を備え、紙皿の起立片の縁辺の長さは、折り線と平行する中間部では基片の外郭線の中間部の長さと等しく設定し、起立片の縁辺の長さは、中間部とコーナー部とを繋ぐ部分の間では基片の外郭線の長さに対して長く設定し、起立片の弧状のコーナー部の縁辺の長さは、基片の外郭線の長さよりも短く設定し、四隅のコーナー部が、該コーナー部を結ぶ縁辺の外郭線よりも外方に突出していることを特徴とする。
【０００８】
請求項３に係る考案は、請求項１又は請求項２において、基片の折り線で囲まれる底部に、上面が平坦な凸部を上方に突出するように設けたことを特徴とする。
【０００９】
請求項４に係る考案は、請求項３において、凸部は平面視四角形をなし、四隅のコーナー部が紙皿の中間部に向くように菱形に配設されていることを特徴とする。
【００１０】
請求項５に係る考案は、請求項３において、凸部は、独立した複数個の凸部からなることを特徴とする。
【考案の効果】
【００１１】
請求項１に係る考案では、隅部のコーナー部を弧状に形成した多角形の紙製の基片の外郭線の内側に、多角形の相似形の折り線を設け、折り線から谷折りして折り線の外側に、外方且つ上方に傾斜して一体に連続する起立片を設け、起立片は、隅部のコーナー部が、コーナー部を結ぶ中間部の外郭線よりも外方に突出しているように紙皿を形成したので、三角形、四角形、五角形等の多角形の紙皿を構成する基片の外郭線と、できあがった紙皿の外周縁辺との間の周長の差は、外方に突出するコーナー部で吸収することができる。
従って、周囲を囲繞する起立片を一体に備え、起立片のコーナー部に皺の発生の無い外観性良好な多角形の紙皿を、糊付けを必要とすることなく、ブランク材の形成、折り曲げという最小の工数、簡易な工程で得ることができ、多角形の紙皿のコストを画期的に低減することができる。
【００１２】
請求項２に係る考案では、四角形の紙皿を得るに際し、四隅のコーナー部を弧状に形成した四角形の紙製の基片の外郭線の内側に相似形の折り線を設け、折り線から四隅のコーナー部を含んで浅い角度で谷折りし、コーナー部及びコーナー部間を繋ぐ四辺を浅い角度で上方且つ外方に斜めに傾斜し、四周を連続して囲むように起こした浅い角度で起立する起立片を備え、紙皿の起立片の縁辺の長さは、折り線と平行する中間部では基片の外郭線の中間部の長さと等しく設定し、起立片の縁辺の長さは、中間部とコーナー部とを繋ぐ部分の間では基片の外郭線の長さに対して長く設定し、起立片の弧状のコーナー部の縁辺の長さは、基片の外郭線の長さよりも短く設定したので、確実に四隅のコーナー部を、コーナー部を結ぶ縁辺の外郭線よりも外方に突出させることができるので、できあがった四角形の紙皿の外周縁辺との間の周長の差は、外方に突出するコーナー部で確実に吸収することができる。
従って、周囲を囲繞する起立片を一体に備え、起立片のコーナー部に皺の発生の無い外観性良好な四角形の紙皿を得ることができる。
また本考案では、四角形の紙皿を、起立片のコーナー部における糊付けを必要とすることなく、ブランク材の形成、折り曲げという最小の工数、簡易な工程で得ることができ、紙皿のコストを画期的に低減することができる。
【００１３】
請求項３に係る考案では、請求項１又は請求項２において、基片の折り線で囲まれる底部に、上面が平坦な凸部を上方に突出するように設けたので、請求項１又は請求項２の効果に加えるに、凸部が紙皿底部のリブ作用を果たしたり、底部上に載せた洋菓子等の底部への付着を防止することができる。
【００１４】
請求項４に係る考案では、請求項３において、凸部は平面視四角形をなし、四隅のコーナー部が紙皿の中間部に向くように菱形に配設されているので、紙皿底部の四周縁部に凸部のコーナー部が配置されることとなり、凸部のコーナー部がリブ効果を発揮して紙皿の強度、剛性を高めることができる。
【００１５】
請求項５に係る考案では、請求項３において、凸部は、独立した複数個の凸部で構成したので、紙皿の底部の洋菓子等を載せる部分の面積は凸部の上面の面積となり、紙皿底部への洋菓子等の付着が少なくなり、紙皿から洋菓子等を剥がし易くなる。
【考案を実施するための最良の形態】
【００１６】
本考案を実施するための最良の形態を添付図に基づいて以下に説明する。なお、図面は符号の向きに見るものとする。
図１は、本考案に係る紙皿の斜視図であり、図２は、紙皿の展開図であって、ブランク材である基片を示す図、図３は、成形後の紙皿の平面図である。これらの図面に従って説明する。
紙皿１は図示の実施例では四角形（正方形）の紙皿であり、平坦な底部２と、底部２の周縁部を囲繞する起立片３を全一体に備える。
【００１７】
紙皿１の起立片３は、四隅のコーナー部４…（…は複数を表す。以下同じ）と、コーナー部４…間の周片部５…（中間部）とからなる。
周片部５…は、外方且つ上方に所定角度、例えば６０°程度傾斜して起立し、同様にコーナー部４…は、外方且つ上方に周片部５よりも浅い角度、例えば３０°程度傾斜して起立している。
以上により、底部２の周囲にコーナー部４…の角度が浅く、周片部５…の角度がこれよりも深い外方且つ上方に傾斜した起立片３を有する紙皿を形成する。
【００１８】
図２は、紙皿を形成する基片１０を構成する紙製シートからなるブランク材を示し、基片１０は四隅部１１…を弧状とした四角形（正方形）をなし、基片１０の外郭線１２の内側には、外郭線と相似形の折り線（仮想上の）１３を事前に設定しておき、折り線１３の内側１４で後に底部を形成する。
【００１９】
以上に基片１０を折り線１３をプレス成形により谷折りし、折り線から屈曲させて折り線１３の外側の余片部１５を前記した角度で外方且つ上方に傾斜するように折り曲げて起立させる。
以上により、図３に示しように本考案に係る紙皿を形成する。
得られた紙皿１は、底部２が図示したように正方形であり、折り線で形成される底部２の四周の周縁部６…から起立片３が上方且つ外側方に前記した角度で傾斜するように設けられており、周片部５…の折り曲げ角度が前記したように深く（実施例では６０°）、コーナー部４…が浅く（実施例では３０°）設定されているので、各コーナー部４…の縁辺部４ａ…は、この間を繋ぐ周片部５…の縁辺部５ａ…よりも、平面視で外方に突出することとなる。
【００２０】
ところで、図２で示した基片１０を折り線１３から谷折りに折曲して起立させ、底部を囲む起立片３を形成するが、基片１０の外郭線１２の周長に対し、紙皿の外郭線を構成する起立片３の周長との間に差が発生し、即ち、基片の外郭１２の周長が大きく、成形後の紙皿の起立片３の周長が短くなることから、周長の差をどこかで吸収せざるを得なくなる。
起立片、特にコーナー部４…において、周長の差を吸収し得ないことから、この部分の余分な部分が発生し、コーナー部に皺が派生することとなる。
【００２１】
本考案では、この周長の差は、前記したように起立片３が上方且つ外側方に前記した角度で傾斜するように設定されており、周片部５…の折り曲げ角度が前記したように深く（実施例では６０°）、コーナー部４…が浅く（実施例では３０°）設定されているので、各コーナー部４…の縁辺部４ａ…は、この間を繋ぐ周片部５…の縁辺部５ａ…よりも、平面視で外方に突出することとなり、このコーナー部の外方への突出で周長の差を吸収し、コーナー部４…における皺の発生を抑制し、可及的に皺の無いコーナー部４…を含む起立片３を形成することができる。
【００２２】
この関係を図４で詳細に説明すると、図４は、紙皿の平面図で、紙皿の１／４を示した拡大説明図である。
図は紙皿のコーナー部を含んだ１／４の部分示しており、紙皿１の周片部５の縁辺部５ａのＰ１１からＰ１２の長さと、基片１０の外郭線の同様のＰ１からＰ２の長さは等しい。
従って、周長の間に差が無いので、周長を吸収する必要がない。
【００２３】
基片１０の外郭線Ｐ２から円弧状のコーナー部１１のＰ３までの距離に対し、紙皿１の起立片の同様の部分Ｐ１２からＰ１３までの長さは、外方に突出するコーナー部４の手前に連続するので湾曲しており、Ｐ２〜Ｐ３に比して長くなり、この部分で基片１０のＰ１〜Ｐ３の周長（長さ）と紙皿１の周片部５、コーナー部４の縁辺部５ａ，４ａのＰ１１〜Ｐ１３間の周長（長さ）は略々一致することとなり、コーナー部の湾曲、これに続く円弧部分の形成、この部分の外方への突出によって相互の外郭線の周長の差は吸収されることとなる。
従って、緩やかに外方に湾曲、突出するコーナー部５の前後の縁辺部５ｂ，５ｂによって、基片１０と紙皿１の周長の差は吸収され、コーナー部に皺等が発生することは抑制される。
【００２４】
図５は、本考案の第２の実施例の平面図、図６は図５の６−６線断面図である。
本実施例は、紙皿１の底部２の中央部に上方に突出するように大きな面積の凸部７を設けたものであり、凸部７は、紙皿１を形成する工程で、底部２に一体成形する。凸部７の上面７ａは底部３の上面と平行し、平坦である。
凸部７は、実施例では平面視菱形であり、四隅のコーナー部８…は底部２において、四周の周片部５…の長さ方向中央部に対応する位置に配置されている。
【００２５】
凸部７上には、例えば、洋菓子等の底を載せ、洋菓子等を転じ、販売する。洋菓子等を紙皿１の底部２から剥がす際、凸部７により洋菓子等の底は一段高くなっており、紙皿から剥がし易く、取り出しが容易となる。
ところで、図５の実施例においては、コーナー部８…がコーナー部４…を向かず、周片部５…の中間部を向いているので、この部分のリブとして作用し、リブ効果により底部の強度、剛性が高まり、基片を成型後の保形性を考慮して薄くすることができる。
【００２６】
図７は、図５の変更実施例を示す平面図、図８は、図７の８−８線断面図である。
本実施例では、凸部１７…を複数個、相互に独立して紙皿１の底部２上に突出するように設けたものである。
凸部１７…は、実施例では中央部に円形の凸部を、これの周囲に放射状に４個の凸部を設けたものであり、各凸部１７…の上面の面先は小さいが、上面を底部２の上面と平行するように平坦に設定した。
【００２７】
以上においては、洋菓子等の底は小面積の凸部１７…の上面に載置、支持されることとなり、この状態で展示、販売するが、洋菓子等を紙皿の底部２から剥がす際、洋菓子等の底は、紙皿１の底部２ｂ上に小面積で載置、支持されているので、凸部１７…への付着は少なく、容易に洋菓子等を紙皿から取り出すことができる。
【００２８】
以上、本考案の実施の形態を説明した。
実施の形態では紙皿は四角形（正方形）としたが、上記したように、コーナー部を周片部よりも外方に突出させることで基片との間の周長の差を吸収すれば良く、従ってコーナー部と周片部を有する周囲を起立片で囲った紙皿であれば実施することができる。
従って、多角形、例えば三角形、５角形、６角形等の紙皿にも容易に実施し得ることは容易に理解し得るであろう。
【産業上の利用可能性】
【００２９】
本考案に係る紙皿は、洋菓子等を載せて展示、販売する紙皿として好適である。
【図面の簡単な説明】
【００３０】
【図１】本考案に係る紙皿の斜視図である。
【図２】紙皿の展開図であって、ブランク材である基片を示す図である。
【図３】成形後の紙皿の平面図である。
【図４】紙皿の平面図で、紙皿の１／４を示した拡大説明図である。
【図５】本考案の第２の実施例の平面図である。
【図６】図５の６−６線断面図である。
【図７】図５の変更実施例を示す平面図である。
【図８】図７の８−８線断面図である。
【符号の説明】
【００３１】
１…紙皿、  ２…底部、  ３…起立片、  ４…コーナー部、  ５…周片部（中間部）、  １０…基片、  １１…弧状のコーナー部、  １２…外郭線
【図１】
0003124305.tif 000003
【図２】
0003124305.tif 000004
【図３】
0003124305.tif 000005
【図４】
0003124305.tif 000006
【図５】
0003124305.tif 000007
【図６】
0003124305.tif 000008
【図７】
0003124305.tif 000009
【図８】
0003124305.tif 000010